(57)【要約】【課題】基地局変復調装置においてＡＴＭバスの無瞬断切替を保証する。【解決手段】ＡＴＭ機能部２２は、伝送路終端機能部２１とシリアル通信を行うＳ／Ｐ変換部３５と、ＡＴＭスイッチがＡＴＭセルを格納するセルバッファと３７、セルバッファ内のＡＴＭセルを監視しＡＴＭセルの滞留がない場合に「バッファＥＮＰ」信号を出力するセル監視部３８を含む。伝送路終端機能部２１は、ＡＴＭ機能部間のシリアル通信を行うＰ／Ｓ変換部３４と、現用のＡＴＭ機能部２２から切替指示信号を受信するとＡＴＭ機能部２２に対するＡＴＭセルの送信を停止し、次にＰ／Ｓ変換部３４とＳ／Ｐ変換部３５に予め定められた吐き出し時間を設定し、吐き出し時間の経過後ＡＴＭ機能部２２のセル監視部３８から「バッファＥＮＰ」信号を受信するとＡＴＭ機能部２２を予備へ予備のＡＴＭ機能部２３を現用へ切り替える下りＡＴＭセル切替制御部３２を含む。【選択図】      図３
2004207836.tif 000002
【特許請求の範囲】
【請求項１】
基地局内のネットワークインタフェースを行う伝送路終端機能部と基地局内のローカルバスマスタとして伝送路終端機能部から入力される下りＡＴＭセルをＡＴＭスイッチにより信号処理機能部に転送する現用と予備からなるＡＴＭ機能部を備えた基地局変復調装置にあって前記ＡＴＭ機能部を現用から予備へ切り替える際の基地局内ＡＴＭバス無瞬断切替方法において、前記伝送路終端機能部と前記ＡＴＭ機能部間のシリアル通信を行う前記伝送路終端機能部側のＰ／Ｓ変換部と前記ＡＴＭ機能部側のＳ／Ｐ変換部とを予め用意し、前記伝送路終端機能部は、前記現用のＡＴＭ機能部から切替指示信号を受信すると、まず前記現用の前記ＡＴＭ機能部に対するＡＴＭセルの送信を停止し、次に、前記Ｐ／Ｓ変換部と前記Ｓ／Ｐ変換部に予め定められた吐き出し時間を設定し、前記吐き出し時間の経過後、前記現用のＡＴＭ機能部から前記ＡＴＭスイッチがＡＴＭセルを格納するセルバッファに前記ＡＴＭセルの滞留がないことを示す「バッファＥＮＰ」信号を受信すると、前記現用の前記ＡＴＭ機能部を予備へ前記予備の前記ＡＴＭ機能部を現用へ切り替えることを特徴とする基地局内ＡＴＭバス無瞬断切替方法。
【請求項２】
基地局内のネットワークインタフェースを行う伝送路終端機能部と基地局内のローカルバスマスタとして伝送路終端機能部から入力される下りＡＴＭセルをＡＴＭスイッチにより信号処理機能部に転送する現用と予備からなるＡＴＭ機能部を備えた基地局変復調装置にあって前記ＡＴＭ機能部を現用から予備へ切り替える際の基地局内ＡＴＭバス無瞬断切替方法において、前記伝送路終端機能部と前記ＡＴＭ機能部間のシリアル通信を行う前記伝送路終端機能部側のＰ／Ｓ変換部と前記ＡＴＭ機能部側のＳ／Ｐ変換部とを予め用意し、前記伝送路終端機能部は、前記現用のＡＴＭ機能部から切替指示信号を受信すると、まず前記現用の前記ＡＴＭ機能部に対するＡＴＭセルの送信を停止し、次に、前記Ｐ／Ｓ変換部と前記Ｓ／Ｐ変換部から各々に前記ＡＴＭセルの滞留がないことを示す「Ｐ／Ｓ変換部  ＥＮＰ」信号と「Ｓ／Ｐ変換部  ＥＮＰ」信号を受信し、かつ、前記現用のＡＴＭ機能部から前記ＡＴＭスイッチがＡＴＭセルを格納するセルバッファに前記ＡＴＭセルの滞留がないことを示す「バッファＥＮＰ」信号を受信すると、前記現用の前記ＡＴＭ機能部を予備へ前記予備の前記ＡＴＭ機能部を現用へ切り替えることを特徴とする基地局内ＡＴＭバス無瞬断切替方法。
【請求項３】
基地局内のネットワークインタフェースを行う伝送路終端機能部と基地局内のローカルバスマスタとして伝送路終端機能部から入力される下りＡＴＭセルをＡＴＭスイッチにより信号処理機能部に転送する現用と予備からなるＡＴＭ機能部を備えた基地局変復調装置にあって前記ＡＴＭ機能部を現用から予備へ切り替える際の基地局内ＡＴＭバス無瞬断切替方法において、前記伝送路終端機能部と前記ＡＴＭ機能部間のシリアル通信を行う前記伝送路終端機能部側のＰ／Ｓ変換部と前記ＡＴＭ機能部側のＳ／Ｐ変換部と、前記Ｐ／Ｓ変換部に入力したＡＴＭセルと同じ前記ＡＴＭセルを入力する予め一定の容量を有する前記伝送路終端機能部側の第２ＦＩＦＯを予め用意し、前記伝送路終端機能部は、前記現用のＡＴＭ機能部から切替指示信号を受信すると、まず前記現用の前記ＡＴＭ機能部に対するＡＴＭセルの送信を停止し、次に、前記第２ＦＩＦＯに滞留する前記ＡＴＭセルを予備側の前記Ｐ／Ｓ変換部に出力せしめた後、前記現用のＡＴＭ機能部から前記ＡＴＭスイッチがＡＴＭセルを格納するセルバッファに前記ＡＴＭセルの滞留がないことを示す「バッファＥＮＰ」信号を受信すると、前記現用の前記ＡＴＭ機能部を予備へ前記予備の前記ＡＴＭ機能部を現用へ切り替えることを特徴とする基地局内ＡＴＭバス無瞬断切替方法。
【請求項４】
基地局内のネットワークインタフェースを行う伝送路終端機能部と基地局内のローカルバスマスタとして伝送路終端機能部から入力される下りＡＴＭセルをＡＴＭスイッチにより信号処理機能部に転送する現用と予備からなるＡＴＭ機能部を備えた基地局変復調装置にあって前記ＡＴＭ機能部を現用から予備へ切り替える際の基地局内ＡＴＭバス無瞬断切替方式において、前記ＡＴＭ機能部には、前記伝送路終端機能部とシリアル通信を行うＳ／Ｐ変換部と、前記ＡＴＭスイッチがＡＴＭセルを格納するセルバッファと、前記セルバッファ内の前記ＡＴＭセルを監視し前記ＡＴＭセルの滞留がない場合に「バッファＥＮＰ」信号を出力するセル監視部を含んで構成され、前記伝送路終端機能部は、前記ＡＴＭ機能部間のシリアル通信を行うＰ／Ｓ変換部と、前記現用の前記ＡＴＭ機能部から切替指示信号を受信すると前記現用の前記ＡＴＭ機能部に対するＡＴＭセルの送信を停止し、次に前記Ｐ／Ｓ変換部と前記Ｓ／Ｐ変換部に予め定められた吐き出し時間を設定し、前記吐き出し時間の経過後前記現用のＡＴＭ機能部の前記セル監視部から前記「バッファＥＮＰ」信号を受信すると前記現用の前記ＡＴＭ機能部を予備へ前記予備の前記ＡＴＭ機能部を現用へ切り替える下りＡＴＭセル切替制御部を含んで構成されることを特徴とする基地局内ＡＴＭバス無瞬断切替方式。
【請求項５】
基地局内のネットワークインタフェースを行う伝送路終端機能部と基地局内のローカルバスマスタとして伝送路終端機能部から入力される下りＡＴＭセルをＡＴＭスイッチにより信号処理機能部に転送する現用と予備からなるＡＴＭ機能部を備えた基地局変復調装置にあって前記ＡＴＭ機能部を現用から予備へ切り替える際の基地局内ＡＴＭバス無瞬断切替方式において、前記ＡＴＭ機能部には、前記伝送路終端機能部とシリアル通信を行い自身に前記ＡＴＭセルの滞留がない場合に「Ｓ／Ｐ変換部  ＥＮＰ」信号を出力するＳ／Ｐ変換部と、前記ＡＴＭスイッチがＡＴＭセルを格納するセルバッファと、前記セルバッファ内の前記ＡＴＭセルを監視し前記ＡＴＭセルの滞留がない場合に「バッファＥＮＰ」信号を出力するセル監視部を含んで構成され、前記伝送路終端機能部は、前記ＡＴＭ機能部間のシリアル通信を行い自身に前記ＡＴＭセルの滞留がない場合に「Ｐ／Ｓ変換部  ＥＮＰ」信号を出力するＰ／Ｓ変換部と、前記現用の前記ＡＴＭ機能部から切替指示信号を受信すると前記現用の前記ＡＴＭ機能部に対するＡＴＭセルの送信を停止し、次に前記Ｐ／Ｓ変換部と前記Ｓ／Ｐ変換部から各々前記「Ｐ／Ｓ変換部  ＥＮＰ」信号と前記「Ｓ／Ｐ変換部  ＥＮＰ」信号を受信しかつ前記現用のＡＴＭ機能部の前記セル監視部から前記「バッファＥＮＰ」信号を受信すると前記現用の前記ＡＴＭ機能部を予備へ前記予備の前記ＡＴＭ機能部を現用へ切り替える下りＡＴＭセル切替制御部を含んで構成されることを特徴とする基地局内ＡＴＭバス無瞬断切替方式。
【請求項６】
基地局内のネットワークインタフェースを行う伝送路終端機能部と基地局内のローカルバスマスタとして伝送路終端機能部から入力される下りＡＴＭセルをＡＴＭスイッチにより信号処理機能部に転送する現用と予備からなるＡＴＭ機能部を備えた基地局変復調装置にあって前記ＡＴＭ機能部を現用から予備へ切り替える際の基地局内ＡＴＭバス無瞬断切替方式において、前記ＡＴＭ機能部には、前記伝送路終端機能部とシリアル通信を行うＳ／Ｐ変換部と、前記ＡＴＭスイッチがＡＴＭセルを格納するセルバッファと、前記セルバッファ内の前記ＡＴＭセルを監視し前記ＡＴＭセルの滞留がない場合に「バッファＥＮＰ」信号を出力するセル監視部を含んで構成され、前記伝送路終端機能部は、前記ＡＴＭ機能部間のシリアル通信を行うＰ／Ｓ変換部と、前記Ｐ／Ｓ変換部に入力したＡＴＭセルと同じ前記ＡＴＭセルを入力する予め一定の容量を有する第２ＦＩＦＯと、前記現用の前記ＡＴＭ機能部から切替指示信号を受信すると前記現用の前記ＡＴＭ機能部に対するＡＴＭセルの送信を停止し、次に前記第２ＦＩＦＯに滞留する前記ＡＴＭセルを予備側の前記Ｐ／Ｓ変換部に出力せしめた後、前記現用のＡＴＭ機能部の前記セル監視部から前記「バッファＥＮＰ」信号を受信すると前記現用の前記ＡＴＭ機能部を予備へ前記予備の前記ＡＴＭ機能部を現用へ切り替える下りＡＴＭセル切替制御部を含んで構成されることを特徴とする基地局内ＡＴＭバス無瞬断切替方式。
【発明の詳細な説明】
【０００１】
【発明の属する技術分野】
本発明は通信中のＡＴＭセルを廃棄させないでＡＴＭバスを切り替える無瞬断切替方法に関し、特に基地局変復調装置において、冗長構成のＡＴＭ機能部の切替を行った場合に通信中のＡＴＭセルを廃棄させない基地局内ＡＴＭバス無瞬断切替方法及び基地局内ＡＴＭバス無瞬断切替方式に関する。
【０００２】
【従来の技術】
図１は、ＡＴＭ（非同期転送モード）ネットワークの構成を示す図であり、基地局変復調装置３（以降、基地局と称す）は、上位局１からＡＴＭセルを使って音声データを受信し、端末に転送している。通常、上位局１と基地局３間のネットワーク４では、複数の交換局２（ＡＴＭスイッチ）を介して接続されている。
【０００３】
本ネットワーク構成において、基地局３はＴＥ（Ｔｅｒｍｉｎａｌ  Ｅｑｕｉｐｍｅｎｔ）に位置づけられている。
【０００４】
図２に基地局構成を示す。
【０００５】
基地局３は、伝送路終端機能部２１、ＡＴＭ機能部０系２２／ＡＴＭ機能部１系２３、信号処理機能部２４で構成されている。
【０００６】
伝送路終端機能部２１は基地局内におけるネットワークインタフェースを行っていおり、伝送路の物理レイヤ、フレームレイヤを終端しＡＴＭセル（以下、下りＡＴＭセル）を基地局内のＡＴＭ機能部に転送する機能を有する。
【０００７】
ＡＴＭ機能部２２（２３）は、基地局内のローカルバスマスタとして伝送路終端機能部から入力される下りＡＴＭセルをＡＴＭスイッチにより信号処理機能部２４に転送する機能を有する。
【０００８】
信号処理機能部２４は上位局１からの下りＡＴＭセルを終端している。基地局内においてＡＴＭ機能部はローカルバスマスタとして重要な機能を有するため、故障時の対策として冗長構成を取っている。「現用系」は運用中を示し「予備系」は待機中である事を示す。
【０００９】
通常、基地局においては、ＡＴＭ機能部の故障等の対策として切替制御が用意されている。この場合、伝送路終端機能部は現用系のＡＴＭ機能部との間で下りＡＴＭセルの通信を行い、「閉塞」によるＡＴＭ機能部の切替が発生すると新しく現用系になったＡＴＭ機能部との間で下りＡＴＭセルの通信を無瞬断で行う必要がある。
【００１０】
図９に従来の基地局内ＡＴＭバス構成を示す。
【００１１】
ネットワークの終端を行う伝送路終端機能部２１は伝送路終端処理部９０を有する。本処理部はネットワークのプロトコルスタックにおいて、「物理レイヤ」「フレームレイヤ」の終端を行っている。また、上位レイヤであるＡＴＭセルは本機能部では終端されず、受信セルバッファに格納される。
【００１２】
受信セルバッファ９１はＡＴＭセルの一時格納（速度調整、等）の目的の他に、ＡＴＭ機能部の切替処理時に下りＡＴＭセルの転送を一時停止さたるため、送信停止中に上位局より受信される下りＡＴＭセルを格納できる容量を持っている。
【００１３】
下りＡＴＭセル切替制御部９２は、ＡＴＭ機能部２２（２３）から入力される現予備情報をもとに受信セルバッファ９１に格納されているＡＴＭセルを装置内のバスマスタである現用系のＡＴＭ機能部２２に送信する機能と、受信セルバッファ９１からの下りＡＴＭセル送信を停止し、転送先（ＡＴＭ機能部）を変更する機能をもっている。
【００１４】
本実施例では、伝送路終端機能部２１とＡＴＭ機能部間２２（２３）はシリアル通信で構成されており、伝送路終端機能部は０系／１系のＡＴＭ機能部に対して各々接続されたＰ／Ｓ変換部９４を持ち、下りＡＴＭセル制御部９２はＡＴＭ機能部から報告される現予備情報により現用系のＡＴＭ機能部を認識し、Ｐ／Ｓ変換部の前段に設けられたＦＩＦＯ９３に指示して、現用系に接続されているＰ／Ｓ変換部９４にＡＴＭセルを送信する。
【００１５】
ＡＴＭ機能部においては、伝送路終端機能部２１からのシリアルデータをＳ／Ｐ変換部９５で変換し、ＡＴＭスイッチ９６は下りＡＴＭセルを引き取りセルバッファ９７に一時格納し、信号処理機能部２４へ転送時にセルバッファから引き取りＵｔｏｐｉａレベル２を使って送信している。
【００１６】
セル監視部９８は、ＡＴＭスイッチ９６が格納するＡＴＭセルをセルバッファ９７の監視により検出し、セルバッファ内のＡＴＭセルが無い場合「バッファＥＮＰ」信号を使って、下りＡＴＭセル切替制御部９２に報告する。
【００１７】
ＡＴＭ機能部の制御部９９は、各自の現用予備情報を下りＡＴＭセル切替制御部９２に報告し、同機能部からの現用予備制御信号により切替を制御している。
【００１８】
下りＡＴＭセル切替制御部９２は、ＡＴＭ機能部２２からの切替要求後、現用系のセルバッファ９７内のセルの滞留を監視することにより、ＡＴＭ機能部の切替を実施した場合「滞留セルの廃棄」が発生することを防ぐようにしている。
【００１９】
予備系のＡＴＭ機能部においては、Ｓ／Ｐ変換部、ＡＴＭスイッチは現用系と同様に動作している。伝送路終端機能部からの下りＡＴＭセルが入力されていない状態になっており、伝送路終端機能部が送信先を切り替えることにより通常動作が可能となっている。
【００２０】
また、信号処理機能部に対するＵｔｏｐｉａレベル２については、現用系ＡＴＭ機能部、予備系ＡＴＭ機能部で共用しているため、予備系のＡＴＭ機能部は出力制御部１００により出力をハイインピーダンス制御することにより、Ｕｔｏｐｉａに影響を与えない構造になっている。
【００２１】
図１０に従来例の切替フローを示す。
【００２２】
通常、「現予備情報」により「０系−現用／１系−予備」が下りＡＴＭセル切替制御部９２に通知されている。
【００２３】
現用系のＡＴＭ機能部０系において「閉塞」が発生した場合（ステップ１０１）、ＡＴＭ機能部０系は「現予備情報」を「現用系」から「予備系」に変更する（ステップ１０２）。また、セルバッファの滞留セル（ＥＮＰ）状況について監視を開始する（ステップ１０３）。下りＡＴＭセル切替制御部は、ＡＴＭ機能部０系からの「予備系」報告により切替指示が発生したことを認識し、ＡＴＭ機能部０系に対する下りＡＴＭセルの送信を停止する（ステップ１０４）。
【００２４】
また、ＦＩＦＯの出力先を予備系に変更し（ステップ１０５）、「バッファＥＮＰ」の監視を開始する。ＡＴＭ機能部０系はセルバッファ内のＡＴＭセル送信完了を検出後、「バッファＥＮＰ」報告を下りＡＴＭセル切替制御部に行う（ステップ１０６）。下りＡＴＭセル切替制御部９２はＡＴＭ機能部０系による「バッファＥＮＰ」を検出する（ステップ１０７）事により、ローカルバス内の滞留セルが存在しないことを確認する。受信セルの送信停止からＥＮＰ報告完了までの時間が、滞留セル吐き出し待ち時間となる。
【００２５】
その後、下りＡＴＭセル切替制御部９２は「現予備制御」を使い、ＡＴＭ機能部０系に対して「予備系」指示、ＡＴＭ機能部１系に対して「現用系」の指示を行う（ステップ１０８）。ＡＴＭ機能部は本制御により現用／予備の切替を実施し、切替完了後に現予備情報によって切替報告を下りＡＴＭセル切替制御部９２に通知することになる（ステップ１０９）。ＡＴＭ機能部の切替を確認した下りＡＴＭセル制御部は、現用系になったＡＴＭ機能部１系に対してＦＩＦＯ９３内の滞留のＡＴＭセル及び受信セルバッファ９１内に格納されている下りＡＴＭセルの送信を開始する（ステップ１１０）。
【００２６】
伝送路終端機能部２１が下りＡＴＭセルの送信を開始する事により、通常処理の再開（切替処理の終了）となる（例えば、特許文献１参照。）。
【００２７】
【特許文献１】
特開平５−３４４１４４号公報（要約欄）
【００２８】
【発明が解決しようとする課題】
上述した従来の基地局内ＡＴＭバス切替方法では、ＡＴＭバス切替制御時、伝送路終端機能部のＰ／Ｓ変換部９４及びＡＴＭ機能部２２のＳ／Ｐ変換部９５にＡＴＭセルが滞留している可能性があり、確実にＡＴＭバスを無瞬断で切替ることを保証できないという欠点があった。
【００２９】
本発明の目的は、ＡＴＭバス切替制御時、ＡＴＭ機能部の「現用系」と「予備系」の無瞬断切替を保証できる基地局内ＡＴＭバス無瞬断切替方法及び基地局内ＡＴＭバス無瞬断切替方式を提供することにある。
【００３０】
【課題を解決するための手段】
本願の第１の発明は、基地局内のネットワークインタフェースを行う伝送路終端機能部と基地局内のローカルバスマスタとして伝送路終端機能部から入力される下りＡＴＭセルをＡＴＭスイッチにより信号処理機能部に転送する現用と予備からなるＡＴＭ機能部を備えた基地局変復調装置にあって前記ＡＴＭ機能部を現用から予備へ切り替える際の基地局内ＡＴＭバス無瞬断切替方法において、前記伝送路終端機能部と前記ＡＴＭ機能部間のシリアル通信を行う前記伝送路終端機能部側のＰ／Ｓ変換部と前記ＡＴＭ機能部側のＳ／Ｐ変換部とを予め用意し、前記伝送路終端機能部は、前記現用のＡＴＭ機能部から切替指示信号を受信すると、まず前記現用の前記ＡＴＭ機能部に対するＡＴＭセルの送信を停止し、次に、前記Ｐ／Ｓ変換部と前記Ｓ／Ｐ変換部に予め定められた吐き出し時間を設定し、前記吐き出し時間の経過後、前記現用のＡＴＭ機能部から前記ＡＴＭスイッチがＡＴＭセルを格納するセルバッファに前記ＡＴＭセルの滞留がないことを示す「バッファＥＮＰ」信号を受信すると、前記現用の前記ＡＴＭ機能部を予備へ前記予備の前記ＡＴＭ機能部を現用へ切り替えることを特徴とする。
【００３１】
本願の第２の発明は、基地局内のネットワークインタフェースを行う伝送路終端機能部と基地局内のローカルバスマスタとして伝送路終端機能部から入力される下りＡＴＭセルをＡＴＭスイッチにより信号処理機能部に転送する現用と予備からなるＡＴＭ機能部を備えた基地局変復調装置にあって前記ＡＴＭ機能部を現用から予備へ切り替える際の基地局内ＡＴＭバス無瞬断切替方法において、前記伝送路終端機能部と前記ＡＴＭ機能部間のシリアル通信を行う前記伝送路終端機能部側のＰ／Ｓ変換部と前記ＡＴＭ機能部側のＳ／Ｐ変換部とを予め用意し、前記伝送路終端機能部は、前記現用のＡＴＭ機能部から切替指示信号を受信すると、まず前記現用の前記ＡＴＭ機能部に対するＡＴＭセルの送信を停止し、次に、前記Ｐ／Ｓ変換部と前記Ｓ／Ｐ変換部から各々に前記ＡＴＭセルの滞留がないことを示す「Ｐ／Ｓ変換部  ＥＮＰ」信号と「Ｓ／Ｐ変換部  ＥＮＰ」信号を受信し、かつ、前記現用のＡＴＭ機能部から前記ＡＴＭスイッチがＡＴＭセルを格納するセルバッファに前記ＡＴＭセルの滞留がないことを示す「バッファＥＮＰ」信号を受信すると、前記現用の前記ＡＴＭ機能部を予備へ前記予備の前記ＡＴＭ機能部を現用へ切り替えることを特徴とする。
【００３２】
本願の第３の発明は、基地局内のネットワークインタフェースを行う伝送路終端機能部と基地局内のローカルバスマスタとして伝送路終端機能部から入力される下りＡＴＭセルをＡＴＭスイッチにより信号処理機能部に転送する現用と予備からなるＡＴＭ機能部を備えた基地局変復調装置にあって前記ＡＴＭ機能部を現用から予備へ切り替える際の基地局内ＡＴＭバス無瞬断切替方法において、前記伝送路終端機能部と前記ＡＴＭ機能部間のシリアル通信を行う前記伝送路終端機能部側のＰ／Ｓ変換部と前記ＡＴＭ機能部側のＳ／Ｐ変換部と、前記Ｐ／Ｓ変換部に入力したＡＴＭセルと同じ前記ＡＴＭセルを入力する予め一定の容量を有する前記伝送路終端機能部側の第２ＦＩＦＯを予め用意し、前記伝送路終端機能部は、前記現用のＡＴＭ機能部から切替指示信号を受信すると、まず前記現用の前記ＡＴＭ機能部に対するＡＴＭセルの送信を停止し、次に、前記第２ＦＩＦＯに滞留する前記ＡＴＭセルを予備側の前記Ｐ／Ｓ変換部に出力せしめた後、前記現用のＡＴＭ機能部から前記ＡＴＭスイッチがＡＴＭセルを格納するセルバッファに前記ＡＴＭセルの滞留がないことを示す「バッファＥＮＰ」信号を受信すると、前記現用の前記ＡＴＭ機能部を予備へ前記予備の前記ＡＴＭ機能部を現用へ切り替えることを特徴とする。
【００３３】
本願の第４の発明は、基地局内のネットワークインタフェースを行う伝送路終端機能部と基地局内のローカルバスマスタとして伝送路終端機能部から入力される下りＡＴＭセルをＡＴＭスイッチにより信号処理機能部に転送する現用と予備からなるＡＴＭ機能部を備えた基地局変復調装置にあって前記ＡＴＭ機能部を現用から予備へ切り替える際の基地局内ＡＴＭバス無瞬断切替方式において、前記ＡＴＭ機能部には、前記伝送路終端機能部とシリアル通信を行うＳ／Ｐ変換部と、前記ＡＴＭスイッチがＡＴＭセルを格納するセルバッファと、前記セルバッファ内の前記ＡＴＭセルを監視し前記ＡＴＭセルの滞留がない場合に「バッファＥＮＰ」信号を出力するセル監視部を含んで構成され、前記伝送路終端機能部は、前記ＡＴＭ機能部間のシリアル通信を行うＰ／Ｓ変換部と、前記現用の前記ＡＴＭ機能部から切替指示信号を受信すると前記現用の前記ＡＴＭ機能部に対するＡＴＭセルの送信を停止し、次に前記Ｐ／Ｓ変換部と前記Ｓ／Ｐ変換部に予め定められた吐き出し時間を設定し、前記吐き出し時間の経過後前記現用のＡＴＭ機能部の前記セル監視部から前記「バッファＥＮＰ」信号を受信すると前記現用の前記ＡＴＭ機能部を予備へ前記予備の前記ＡＴＭ機能部を現用へ切り替える下りＡＴＭセル切替制御部を含んで構成されることを特徴とする。
【００３４】
本願の第５の発明は、基地局内のネットワークインタフェースを行う伝送路終端機能部と基地局内のローカルバスマスタとして伝送路終端機能部から入力される下りＡＴＭセルをＡＴＭスイッチにより信号処理機能部に転送する現用と予備からなるＡＴＭ機能部を備えた基地局変復調装置にあって前記ＡＴＭ機能部を現用から予備へ切り替える際の基地局内ＡＴＭバス無瞬断切替方式において、前記ＡＴＭ機能部には、前記伝送路終端機能部とシリアル通信を行い自身に前記ＡＴＭセルの滞留がない場合に「Ｓ／Ｐ変換部  ＥＮＰ」信号を出力するＳ／Ｐ変換部と、前記ＡＴＭスイッチがＡＴＭセルを格納するセルバッファと、前記セルバッファ内の前記ＡＴＭセルを監視し前記ＡＴＭセルの滞留がない場合に「バッファＥＮＰ」信号を出力するセル監視部を含んで構成され、前記伝送路終端機能部は、前記ＡＴＭ機能部間のシリアル通信を行い自身に前記ＡＴＭセルの滞留がない場合に「Ｐ／Ｓ変換部  ＥＮＰ」信号を出力するＰ／Ｓ変換部と、前記現用の前記ＡＴＭ機能部から切替指示信号を受信すると前記現用の前記ＡＴＭ機能部に対するＡＴＭセルの送信を停止し、次に前記Ｐ／Ｓ変換部と前記Ｓ／Ｐ変換部から各々前記「Ｐ／Ｓ変換部  ＥＮＰ」信号と前記「Ｓ／Ｐ変換部  ＥＮＰ」信号を受信しかつ前記現用のＡＴＭ機能部の前記セル監視部から前記「バッファＥＮＰ」信号を受信すると前記現用の前記ＡＴＭ機能部を予備へ前記予備の前記ＡＴＭ機能部を現用へ切り替える下りＡＴＭセル切替制御部を含んで構成されることを特徴とする。
【００３５】
本願の第６の発明は、基地局内のネットワークインタフェースを行う伝送路終端機能部と基地局内のローカルバスマスタとして伝送路終端機能部から入力される下りＡＴＭセルをＡＴＭスイッチにより信号処理機能部に転送する現用と予備からなるＡＴＭ機能部を備えた基地局変復調装置にあって前記ＡＴＭ機能部を現用から予備へ切り替える際の基地局内ＡＴＭバス無瞬断切替方式において、前記ＡＴＭ機能部には、前記伝送路終端機能部とシリアル通信を行うＳ／Ｐ変換部と、前記ＡＴＭスイッチがＡＴＭセルを格納するセルバッファと、前記セルバッファ内の前記ＡＴＭセルを監視し前記ＡＴＭセルの滞留がない場合に「バッファＥＮＰ」信号を出力するセル監視部を含んで構成され、前記伝送路終端機能部は、前記ＡＴＭ機能部間のシリアル通信を行うＰ／Ｓ変換部と、前記Ｐ／Ｓ変換部に入力したＡＴＭセルと同じ前記ＡＴＭセルを入力する予め一定の容量を有する第２ＦＩＦＯと、前記現用の前記ＡＴＭ機能部から切替指示信号を受信すると前記現用の前記ＡＴＭ機能部に対するＡＴＭセルの送信を停止し、次に前記第２ＦＩＦＯに滞留する前記ＡＴＭセルを予備側の前記Ｐ／Ｓ変換部に出力せしめた後、前記現用のＡＴＭ機能部の前記セル監視部から前記「バッファＥＮＰ」信号を受信すると前記現用の前記ＡＴＭ機能部を予備へ前記予備の前記ＡＴＭ機能部を現用へ切り替える下りＡＴＭセル切替制御部を含んで構成されることを特徴とする。
【００３６】
【発明の実施の形態】
次に、本発明の実施の形態について図面を参照して詳細に説明する。
【００３７】
図３は、本発明の基地局内ＡＴＭバス構成の第一の実施例を示すブロック図である。
【００３８】
ネットワークの終端を行う伝送路終端機能部２１は伝送路終端処理部３０を有する。本処理部はネットワークのプロトコルスタックにおいて、「物理レイヤ」「フレームレイヤ」の終端を行っている。また、上位レイヤであるＡＴＭセルは本機能部では終端されず、受信セルバッファに格納される。
【００３９】
受信セルバッファ３１はＡＴＭセルの一時格納（速度調整、等）の目的の他に、ＡＴＭ機能部の切替処理時に下りＡＴＭセルの転送を一時停止さたるため、送信停止中に上位局より受信される下りＡＴＭセルを格納できる容量を持っている。
【００４０】
下りＡＴＭセル切替制御部３２は、ＡＴＭ機能部２２（２３）から入力される現予備情報をもとに受信セルバッファ３１に格納されているＡＴＭセルを装置内のバスマスタである現用系のＡＴＭ機能部２２に送信する機能と、受信セルバッファ３１からの下りＡＴＭセル送信を停止し、転送先（ＡＴＭ機能部）を変更する機能をもっている。
【００４１】
本実施例では、伝送路終端機能部２１とＡＴＭ機能部間２２（２３）はシリアル通信で構成されており、伝送路終端機能部は０系／１系のＡＴＭ機能部に対して各々接続されたＰ／Ｓ変換部３４を持ち、下りＡＴＭセル制御部３２はＡＴＭ機能部から報告される現予備情報により現用系のＡＴＭ機能部を認識し、Ｐ／Ｓ変換部３４の前段に設けられたＦＩＦＯ３３に指示して、現用系に接続されているＰ／Ｓ変換部３４にＡＴＭセルを送信する。
【００４２】
ＡＴＭ機能部２２においては、伝送路終端機能部２１からのシリアルデータをＳ／Ｐ変換部３５で変換し、ＡＴＭスイッチ３６は下りＡＴＭセルを引き取りセルバッファ３７に一時格納し、信号処理機能部２４へ転送時にセルバッファから引き取りＵｔｏｐｉａレベル２を使って送信している。
【００４３】
セル監視部３８は、ＡＴＭスイッチ３６が格納するＡＴＭセルをセルバッファ３７の監視により検出し、セルバッファ内のＡＴＭセルが無い場合「バッファＥＮＰ」信号を使って、下りＡＴＭセル切替制御部３２に報告する。
【００４４】
ＡＴＭ機能部の制御部３９は、各自の現用予備情報を下りＡＴＭセル切替制御部９２に報告し、同機能部からの現用予備制御信号により切替を制御している。
【００４５】
下りＡＴＭセル切替制御部３２は、ＡＴＭ機能部２２からの切替要求後、Ｐ／Ｓ変換部３４及びＳ／Ｐ変換部３５の最大のセル滞留時間を見積もることと、現用系のセルバッファ３７内のセルの滞留を監視することにより、ＡＴＭ機能部の切替を実施した場合に「滞留セルの廃棄」が発生することを防ぐようにしている。
【００４６】
予備系のＡＴＭ機能部においては、Ｓ／Ｐ変換部、ＡＴＭスイッチは現用系と同様に動作している。伝送路終端機能部からの下りＡＴＭセルが入力されていない状態になっており、伝送路終端機能部が送信先を切り替えることにより通常動作が可能となっている。
【００４７】
また、信号処理機能部に対するＵｔｏｐｉａレベル２については、現用系ＡＴＭ機能部、予備系ＡＴＭ機能部で共用しているため、予備系のＡＴＭ機能部は出力制御部４０により出力をハイインピーダンス制御することにより、Ｕｔｏｐｉａに影響を与えない構造になっている。
【００４８】
図４に本実施例の切替フローを示す。
【００４９】
通常、「現予備情報」により「０系−現用／１系−予備」が下りＡＴＭセル切替制御部９２に通知されている。
【００５０】
現用系のＡＴＭ機能部０系において「閉塞」が発生した場合（ステップ１）、ＡＴＭ機能部０系は「現予備情報」を「現用系」から「予備系」に変更する（ステップ２）。また、セルバッファの滞留セル（ＥＮＰ）状況について監視を開始する（ステップ３）。下りＡＴＭセル切替制御部３２は、ＡＴＭ機能部０系からの「予備系」報告により切替指示が発生したことを認識し、ＡＴＭ機能部０系に対する下りＡＴＭセルの送信を停止する（ステップ４）。
【００５１】
また、ＦＩＦＯの出力先を予備系に変更し（ステップ５）、Ｐ／Ｓ変換部１４とＳ／Ｐ変換部１５に予め想定した最大吐き出し時間を監視し（ステップ６）、最大吐き出し時間の経過後、「バッファＥＮＰ」の監視を開始する。ＡＴＭ機能部０系はセルバッファ内のＡＴＭセル送信完了を検出後、「バッファＥＮＰ」報告を下りＡＴＭセル切替制御部に行う（ステップ７）。下りＡＴＭセル切替制御部３２はＡＴＭ機能部０系による「バッファＥＮＰ」を検出する（ステップ８）事により、ローカルバス内の滞留セルが存在しないことを確認する。受信セルの送信停止からＥＮＰ報告完了までの時間が、滞留セル吐き出し待ち時間となる。
【００５２】
その後、下りＡＴＭセル切替制御部３２は「現予備制御」を使い、ＡＴＭ機能部０系に対して「予備系」指示、ＡＴＭ機能部１系に対して「現用系」の指示を行う（ステップ９）。ＡＴＭ機能部は本制御により現用／予備の切替を実施し、切替完了後に現予備情報によって切替報告を下りＡＴＭセル切替制御部３２に通知することになる（ステップ１０）。ＡＴＭ機能部の切替を確認した下りＡＴＭセル制御部は、現用系になったＡＴＭ機能部１系に対してＦＩＦＯ３３内の滞留のＡＴＭセル及び受信セルバッファ３１内に格納されている下りＡＴＭセルの送信を開始する（ステップ１１）。
【００５３】
図５は、本発明の基地局内ＡＴＭバス構成の第二の実施例を示すブロック図である。
【００５４】
以下、第一の実施例と異なる部分についてのみ説明する。
【００５５】
Ｐ／Ｓ変換部５１は、Ｐ／Ｓ変換部３４の機能に加え、Ｐ／Ｓ変換部内の滞留ＡＴＭセルを監視し、滞留ＡＴＭセルが存在しない場合は、「Ｐ／Ｓ変換部  ＥＮＰ」信号を下りＡＴＭセル切替制御部５０に出力し、また、Ｓ／Ｐ変換部５２は、Ｓ／Ｐ変換部１５の機能に加え、Ｓ／Ｐ変換部内の滞留ＡＴＭセルを監視し、滞留ＡＴＭセルが存在しない場合は、「Ｓ／Ｐ変換部  ＥＮＰ」信号を下りＡＴＭセル切替制御部５０に出力する。
【００５６】
さらに、下りＡＴＭセル切替制御部５０は、ＡＴＭ機能部２２からの切替要求後、ＦＩＦＯの出力先を予備系に変更し、「Ｐ／Ｓ変換部  ＥＮＰ」信号、「Ｓ／Ｐ変換部  ＥＮＰ」信号、及び「バッファＥＮＰ」信号の３信号がそろったときに、ＡＴＭ機能部の切替を実施し、ＡＴＭ機能部の切替に伴う「滞留セルの廃棄」が発生することを防ぐようにしている。
【００５７】
図６に第二の実施例の切替フローを示す。
【００５８】
通常、「現予備情報」により「０系−現用／１系−予備」が下りＡＴＭセル切替制御部９２に通知されている。
【００５９】
現用系のＡＴＭ機能部０系において「閉塞」が発生した場合（ステップ６１）、ＡＴＭ機能部０系は「現予備情報」を「現用系」から「予備系」に変更する（ステップ６２）。また、セルバッファの滞留セル（ＥＮＰ）状況について監視を開始する（ステップ６３）。下りＡＴＭセル切替制御部５０は、ＡＴＭ機能部０系からの「予備系」報告により切替指示が発生したことを認識し、ＡＴＭ機能部０系に対する下りＡＴＭセルの送信を停止する（ステップ６４）。
【００６０】
また、ＦＩＦＯの出力先を予備系に変更し（ステップ６５）、Ｐ／Ｓ変換部５１の「Ｐ／Ｓ変換部  ＥＮＰ」信号とＳ／Ｐ変換部５２の「Ｓ／Ｐ変換部  ＥＮＰ」信号を監視し（ステップ６６）、両信号を検出すると、「バッファＥＮＰ」の監視を開始する。ＡＴＭ機能部０系はセルバッファ内のＡＴＭセル送信完了を検出後、「バッファＥＮＰ」報告を下りＡＴＭセル切替制御部に行う（ステップ６７）。下りＡＴＭセル切替制御部５０はＡＴＭ機能部０系による「バッファＥＮＰ」を検出する（ステップ６８）事により、ローカルバス内の滞留セルが存在しないことを確認する。受信セルの送信停止からＥＮＰ報告完了までの時間が、滞留セル吐き出し待ち時間となる。
【００６１】
その後、下りＡＴＭセル切替制御部５０は「現予備制御」を使い、ＡＴＭ機能部０系に対して「予備系」指示、ＡＴＭ機能部１系に対して「現用系」の指示を行う（ステップ６９）。ＡＴＭ機能部は本制御により現用／予備の切替を実施し、切替完了後に現予備情報によって切替報告を下りＡＴＭセル切替制御部５０に通知することになる（ステップ７０）。ＡＴＭ機能部の切替を確認した下りＡＴＭセル制御部は、現用系になったＡＴＭ機能部１系に対してＦＩＦＯ３３内の滞留のＡＴＭセル及び受信セルバッファ３１内に格納されている下りＡＴＭセルの送信を開始する（ステップ７１）。
【００６２】
図７は、本発明の基地局内ＡＴＭバス構成の第三の実施例を示す示すブロック図である。
【００６３】
以下、第一の実施例と異なる部分についてのみ説明する。
【００６４】
ＦＩＦＯ３３の下に、新たに第２ＦＩＦＯ７１を設ける。第２ＦＩＦＯ７１は、ＦＩＦＯ３３からＰ／Ｓ変換部７２に送られるＡＴＭセルを、Ｐ／Ｓ変換部７２及びＳ／Ｐ変換部７３が最大に滞留した場合の量のＡＴＭセルを保持し、ＡＴＭ機能部の切替に先だって、その保持ＡＴＭセルを「予備系」Ｐ／Ｓ変換部に出力する。
【００６５】
下りＡＴＭセル切替制御部７０は、ＡＴＭ機能部２２からの切替要求後、第２ＦＩＦＯ７１の出力先及びＦＩＦＯ３３の出力先を予備系に変更し、第２ＦＩＦＯ７１の滞留ＡＴＭセルから予備系Ｐ／Ｓ変換部に出力するのと平行して、「バッファＥＮＰ」信号を受信したときに、ＡＴＭ機能部の切替を実施し、ＡＴＭ機能部の切替に伴う「滞留セルの廃棄」が発生することを防ぐようにしている。
【００６６】
このようにすることにより、セルバッファ３７が空の時は、最短時間でＡＴＭ機能部の切替を実施でき、かりにその時Ｐ／Ｓ変換部７２及びＳ／Ｐ変換部７３にＡＴＭセルが滞留していても、第２ＦＩＦＯ７１の予備系への出力により、滞留セルの廃棄の発生を防ぐことが出来る。また、万一、Ｐ／Ｓ変換部７２及びＳ／Ｐ変換部７３にＡＴＭセルがすでに送信されており、第２ＦＩＦＯ７１の予備系への出力が重複することになっても、受信側でどちらかが廃棄されるので問題はない。
【００６７】
図８に第三の実施例の切替フローを示す。
【００６８】
通常、「現予備情報」により「０系−現用／１系−予備」が下りＡＴＭセル切替制御部９２に通知されている。
【００６９】
現用系のＡＴＭ機能部０系において「閉塞」が発生した場合（ステップ７１）、ＡＴＭ機能部０系は「現予備情報」を「現用系」から「予備系」に変更する（ステップ７２）。また、セルバッファの滞留セル（ＥＮＰ）状況について監視を開始する（ステップ７３）。下りＡＴＭセル切替制御部７０は、ＡＴＭ機能部０系からの「予備系」報告により切替指示が発生したことを認識し、ＡＴＭ機能部０系に対する下りＡＴＭセルの送信を停止する（ステップ７４）。
【００７０】
また、第２ＦＩＦＯ７１の出力先とＦＩＦＯの出力先を予備系に変更し（ステップ７５、ステップ７６）、「バッファＥＮＰ」の監視を開始する。ＡＴＭ機能部０系はセルバッファ内のＡＴＭセル送信完了を検出後、「バッファＥＮＰ」報告を下りＡＴＭセル切替制御部に行う（ステップ７７）。下りＡＴＭセル切替制御部７０はＡＴＭ機能部０系による「バッファＥＮＰ」を検出する（ステップ７８）事により、ローカルバス内の滞留セルが存在しないものと見なす。受信セルの送信停止からＥＮＰ報告完了までの時間が、滞留セル吐き出し待ち時間となる。
【００７１】
その後、下りＡＴＭセル切替制御部７０は「現予備制御」を使い、ＡＴＭ機能部０系に対して「予備系」指示、ＡＴＭ機能部１系に対して「現用系」の指示を行う（ステップ７９）。ＡＴＭ機能部は本制御により現用／予備の切替を実施し、切替完了後に現予備情報によって切替報告を下りＡＴＭセル切替制御部７０に通知することになる（ステップ８０）。ＡＴＭ機能部の切替を確認した下りＡＴＭセル制御部は、現用系になったＡＴＭ機能部１系に対して第２ＦＩＦＯ７１の滞留のＡＴＭセル、ＦＩＦＯ３３内の滞留のＡＴＭセル及び受信セルバッファ３１内に格納されている下りＡＴＭセルの送信を開始する（ステップ８１）。
【００７２】
【発明の効果】
以上説明したように、本発明は、基地局変復調装置においてＡＴＭバス切替制御時、ＡＴＭ機能部の「現用系」と「予備系」のＡＴＭセルの無瞬断切替を保証できる効果がある。
【図面の簡単な説明】
【図１】ＡＴＭ（非同期転送モード）ネットワークの構成を示す図である。
【図２】図１の基地局構成を示す図である。
【図３】本発明の基地局内ＡＴＭバス構成の第一の実施例を示すブロック図である。
【図４】第一の実施例における切替フローを示す図である。
【図５】本発明の基地局内ＡＴＭバス構成の第二の実施例を示すブロック図である。
【図６】第二の実施例における切替フローを示す図である。
【図７】本発明の基地局内ＡＴＭバス構成の第三の実施例を示す示すブロック図である。
【図８】第三の実施例における切替フローを示す図である。
【図９】従来の基地局内ＡＴＭバス構成の一実施例を示すブロック図である。
【図１０】従来の実施例における切替フローを示す図である。
【符号の説明】
１    上位局
２    交換局
３    基地局変復調装置
４    ネットワーク
２１    伝送路終端機能部
２２    ＡＴＭ機能部０系
２３    ＡＴＭ機能部１系
２４    信号処理機能部
３０、９０    伝送路終端処理部
３１、９１    受信セルバッファ
３２、９２    下りＡＴＭセル切替制御部
３３、９３    ＦＩＦＯ
３４、９４    Ｐ／Ｓ変換部
３５、９５    Ｓ／Ｐ変換部
３６、９６    ＡＴＭスイッチ
３７、９７    セルバッファ
３８、９８    セル監視部
３９、９９    制御部
４０、１００    出力制御部
５０    下りＡＴＭセル切替制御部
５１    Ｐ／Ｓ変換部
５２    Ｓ／Ｐ変換部
７０    下りＡＴＭセル切替制御部
７１    第２ＦＩＦＯ
７２    Ｐ／Ｓ変換部
７３    Ｓ／Ｐ変換部
【図１】
2004207836.tif 000003
【図２】
2004207836.tif 000004
【図３】
2004207836.tif 000005
【図４】
2004207836.tif 000006
【図５】
2004207836.tif 000007
【図６】
2004207836.tif 000008
【図７】
2004207836.tif 000009
【図８】
2004207836.tif 000010
【図９】
2004207836.tif 000011
【図１０】
2004207836.tif 000012